(57)【要約】      （修正有）【課題】調理器具一式をひとまとめにしたコンパクトな形で携帯可能となるアウトドア用調理鍋を提供すること。【解決手段】第一鍋体１と、第一鍋体１より浅底型の第二鍋体３とから成り、第一鍋体１の開口部２と第二鍋体３の開口部とに、第一鍋体１の開口部２に上下反転させた第二鍋体３の開口部を載置係合し得る係合手段を設け、第一鍋体１は、二個のアウトドア用ガス缶６と、このアウトドア用ガス缶６を燃料とする携帯用コンロ装置９とを並べて収納可能な形状に形成し、このアウトドア用ガス缶６と携帯用コンロ装置９を収納した第一鍋体１の開口部２に、係合手段を介して上下反転させた第二鍋体３の開口部を載置係合し得るように構成したアウトドア用調理鍋。【選択図】図４
2016214555.tif 000002
【特許請求の範囲】
【請求項１】
第一鍋体と、この第一鍋体より浅底型で且つ第一鍋体の開口部と同等の開口径寸法の開口部を具備する第二鍋体とから成り、前記第一鍋体の開口部と前記第二鍋体の開口部とのいずれか一方若しくは双方に、この第一鍋体の開口部に上下反転させた前記第二鍋体の開口部を載置係合し得る係合手段を設けて、第一鍋体の開口部を第二鍋体で係脱開閉自在に閉塞し得るように構成し、この第一鍋体は、二個のアウトドア用ガス缶と、このアウトドア用ガス缶を燃料とする携帯用コンロ装置とを並べて収納可能な形状に形成し、このアウトドア用ガス缶と携帯用コンロ装置を収納した第一鍋体の開口部に、前記係合手段を介して上下反転させた前記第二鍋体の開口部を載置係合し得るように、この第一鍋体の深さ寸法と前記第二鍋体の深さ寸法とを設定したことを特徴とするアウトドア用調理鍋。
【請求項２】
前記第一鍋体は、横置き状態にした二個の前記アウトドア用ガス缶を、一方のアウトドア用ガス缶の底面に他方のアウトドア用ガス缶の側面を隣接させた並設状態で収納可能であると共に、前記携帯用コンロ装置を、隣接収納した一方のアウトドア用ガス缶の側面と他方のアウトドア用ガス缶の底面とに隣接させた並設状態で収納可能な形状に形成したことを特徴とする請求項１記載のアウトドア用調理鍋。
【請求項３】
前記第一鍋体の深さ寸法は、少なくとも横置き状態にして収納した前記アウトドア用ガス缶の上側部分が、この第一鍋体の開口部より上方へ露出した状態で収容される深さ寸法に設定し、前記第二鍋体の深さ寸法は、上下反転させたこの第二鍋体で前記第一鍋体の開口部より上方へ露出している横置き状態のアウトドア用ガス缶の上側部分を隠蔽しつつ、この第二鍋体の開口部を前記係合手段を介して前記第一鍋体の開口部に載置係合し得る深さ寸法に設定したことを特徴とする請求項１，２のいずれか１項に記載のアウトドア用調理鍋。
【発明の詳細な説明】
【技術分野】
【０００１】
本発明は、アウトドアレジャーでの使用に適したアウトドア用調理鍋に関するものである。
【背景技術】
【０００２】
登山などのアウトドアレジャーでは、調理器具（鍋やコンロなど）を携帯して屋外などで調理を行い食事をすることも大きな醍醐味の一つである。
【発明の概要】
【発明が解決しようとする課題】
【０００３】
アウトドアレジャーに携帯する調理器具は、大きいと持ち歩きの支障となってしまうので、できるだけコンパクトなものが望まれている。
【０００４】
本発明は、このような要望に応えるためのもので、アウトドア用ガス缶やこれを燃料とする携帯用コンロ装置と共に、調理器具一式をひとまとめにしたコンパクトな形で携帯可能となるアウトドア用調理鍋を提供するものである。
【課題を解決するための手段】
【０００５】
添付図面を参照して本発明の要旨を説明する。
【０００６】
第一鍋体１と、この第一鍋体１より浅底型で且つ第一鍋体１の開口部２と同等の開口径寸法の開口部４を具備する第二鍋体３とから成り、前記第一鍋体１の開口部２と前記第二鍋体３の開口部４とのいずれか一方若しくは双方に、この第一鍋体１の開口部２に上下反転させた前記第二鍋体３の開口部４を載置係合し得る係合手段５を設けて、第一鍋体１の開口部２を第二鍋体３で係脱開閉自在に閉塞し得るように構成し、この第一鍋体１は、二個のアウトドア用ガス缶６と、このアウトドア用ガス缶６を燃料とする携帯用コンロ装置９とを並べて収納可能な形状に形成し、このアウトドア用ガス缶６と携帯用コンロ装置９を収納した第一鍋体１の開口部２に、前記係合手段５を介して上下反転させた前記第二鍋体３の開口部４を載置係合し得るように、この第一鍋体１の深さ寸法と前記第二鍋体３の深さ寸法とを設定したことを特徴とするアウトドア用調理鍋に係るものである。
【０００７】
また、前記第一鍋体１は、横置き状態にした二個の前記アウトドア用ガス缶６を、一方のアウトドア用ガス缶６の底面７に他方のアウトドア用ガス缶６の側面８を隣接させた並設状態で収納可能であると共に、前記携帯用コンロ装置９を、隣接収納した一方のアウトドア用ガス缶６の側面８と他方のアウトドア用ガス缶６の底面７とに隣接させた並設状態で収納可能な形状に形成したことを特徴とする請求項１記載のアウトドア用調理鍋に係るものである。
【０００８】
また、前記第一鍋体１の深さ寸法は、少なくとも横置き状態にして収納した前記アウトドア用ガス缶６の上側部分が、この第一鍋体１の開口部２より上方へ露出した状態で収容される深さ寸法に設定し、前記第二鍋体３の深さ寸法は、上下反転させたこの第二鍋体３で前記第一鍋体１の開口部２より上方へ露出している横置き状態のアウトドア用ガス缶６の上側部分を隠蔽しつつ、この第二鍋体３の開口部４を前記係合手段５を介して前記第一鍋体１の開口部２に載置係合し得る深さ寸法に設定したことを特徴とする請求項１，２のいずれか１項に記載のアウトドア用調理鍋に係るものである。
【発明の効果】
【０００９】
本発明は上述のように構成したから、第一鍋体とこれより浅底型の第二鍋体とを調理用途に応じて便利に使い分けでき、携帯時や不使用時には、アウトドア用ガス缶と携帯用コンロ装置とを第一鍋体内に収納できてこの第一鍋体の開口部を上下反転させた第二鍋体で閉塞でき、これによりアウトドア用ガス缶と携帯用コンロ装置とを保護できると共に、調理器具一式をコンパクト化して持ち歩いたり格納したりでき、このようにコンパクト化できる構成でありながら、アウトドア用ガス缶を二個持ち運べるので一泊二日以上の行動や多人数での行動にも対応できるなど、極めて実用性に優れたアウトドア用調理鍋となる。
【００１０】
また、請求項２記載の発明においては、第一鍋体に二個のアウトドア用ガス缶と携帯用コンロ装置とを効率良く且つガタつきにくい安定状態で収納可能となる一層実用性に優れた構成のアウトドア用調理鍋となる。
【００１１】
また、請求項３記載の発明においては、第一鍋体と第二鍋体とにより二個のアウトドア用ガス缶と携帯用コンロ装置を確実に保護状態で収納でき、しかも第一鍋体は、横置き状態にして収納したアウトドア用ガス缶の上側部分が、この第一鍋体の開口部より上方へ露出した状態で収容される深さ寸法を有するもので足りるため、第一鍋体も可及的浅底型に設計できてコンパクト化が容易に実現可能となるなど、一層実用性に優れた構成のアウトドア用調理鍋となる。
【図面の簡単な説明】
【００１２】
【図１】本実施例を示す分解斜視図である。
【図２】本実施例の第一鍋体と第二鍋体に収納する収納物（調理器具など）を示す斜視図である。
【図３】本実施例の第一鍋体を用いた使用状態を示す斜視図である。
【図４】本実施例の第一鍋体に収納物を収納し、第一鍋体の開口部を第二鍋体で閉塞しようとする状態を示す斜視図である。
【図５】本実施例の第一鍋体に収納物を収納した状態を示す平面図である。
【図６】本実施例の第一鍋体に収納物を収納し、第一鍋体の開口部を第二鍋体で閉塞した状態を示す説明側断面図である。
【図７】本実施例のネスティング状態を示す斜視図である。
【発明を実施するための形態】
【００１３】
好適と考える本発明の実施形態を、図面に基づいて本発明の作用を示して簡単に説明する。
【００１４】
携帯時や不使用時には、第一鍋体１に、二個のアウトドア用ガス缶６と、このアウトドア用ガス缶６を燃料とする携帯用コンロ装置９とを並べて収納可能であり、このアウトドア用ガス缶６と携帯用コンロ装置９を収納した第一鍋体１の開口部２に、係合手段５を介して上下反転させた第二鍋体３の開口部４を載置係合して、第一鍋体１の開口部２を第二鍋体３で閉塞することができる。
【００１５】
すると、アウトドア用ガス缶６と携帯用コンロ装置９とが第一鍋体１と第二鍋体３で保護された収納状態となると共に、第一鍋体１，第二鍋体３，アウトドア用ガス缶６及び携帯用コンロ装置９からなる調理器具一式がひとつにまとまってコンパクト化されるので、携帯に便利で持ち歩きの支障となりにくく、格納スペースも取らない。
【００１６】
使用時には、第一鍋体１の開口部２から第二鍋体３を係脱して取り外し、第一鍋体１内からアウトドア用ガス缶６と携帯用コンロ装置９とを取り出し、このアウトドア用ガス缶６を燃料とする携帯用コンロ装置９に第一鍋体１若しくは第二鍋体３をセットして加熱調理を行う。
【００１７】
また、この際、例えば、汁物の調理には第一鍋体１を使用し、焼物の調理には第一鍋体１より浅底型の第二鍋体３を使用するなど、第一鍋体１と第二鍋体３とを調理用途に応じて使い分けできる。
【００１８】
また、上記したように調理器具一式をコンパクト化して持ち歩くことが可能でありながら、アウトドア用ガス缶６を二個持てるので、一泊二日以上の行動や多人数での行動にも対応できる。
【実施例】
【００１９】
本発明の具体的な実施例について図面に基づいて説明する。
【００２０】
本実施例のアウトドア用調理鍋は、第一鍋体１と、この第一鍋体１より浅底型で且つ第一鍋体１の開口部２と同等の開口径寸法の開口部４を具備する第二鍋体３とから成り、前記第一鍋体１の開口部２と前記第二鍋体３の開口部４とのいずれか一方若しくは双方に、この第一鍋体１の開口部２に上下反転させた前記第二鍋体３の開口部４を載置係合し得る係合手段５を設けて、第一鍋体１の開口部２を第二鍋体３で係脱開閉自在に閉塞し得るように構成している。即ち、第一鍋体１と第二鍋体３とを一つにまとめてコンパクト化できる構成としている。
【００２１】
具体的には、第一鍋体１と第二鍋体２とは、図１，図４に示すように、底の深さ寸法が異なる以外は略同形を呈する平面視丸型の鍋とし、深底型の第一鍋体１は、所謂一般の鍋としての使用（主に汁物の調理など）に適し、浅底型の第二鍋体２は、所謂フライパンとしての使用（主に焼物の調理など）に適するように夫々の底の深さ寸法を設定構成し、更に第一鍋体１の開口部２と、第二鍋体３の開口部４とを、開閉自在に閉塞可能な蓋体10を一体備えて、この蓋体10を第一鍋体１と第二鍋体３に付け替えて使用できるように構成している。
【００２２】
また、この第一鍋体１と第二鍋体２には、その外側面に取手取付部11を設け、この取手取付部11に対し着脱自在な取手12を一体備えて、この取手12を第一鍋体１と第二鍋体２に付け替えて使用できるように構成している。
【００２３】
また、この取手12は、線材を平面視で細長い環状をなすように形成したもので、長さ方向の一端側に補強桟板13を架設すると共に、この補強桟板13より外側の一端部を側面視で略Ｕ字状のフック部14に折曲形成して、このフック部14を前記取手取付部11に着脱自在に掛止することにより前記第一鍋体１若しくは前記第二鍋体３に取付けし得るように構成している。
【００２４】
また、第一鍋体１の開口部２には、その全周縁部に水平外方に向けて前記蓋体10の載置部としても機能する載置用鍔部15を突設すると共に、この載置用鍔部15の突出先端縁を直角上方に折曲してこの折曲上向き先端縁をズレ止め片16とし、一方、第二鍋体３の開口部４には、その全周縁部に前記蓋体10の載置部としても機能すると共に前記載置用鍔部15に載置係合可能な係合鍔部17を水平外方に向けて突設している。即ち、第一鍋体１の開口部２の前記載置用鍔部15に、上下反転させた第二鍋体３の開口部４の前記係合鍔部17を載置係合すると、第一鍋体１の開口部２が第二鍋体３で係脱開閉自在に閉塞されると共に、前記ズレ止め片16により第二鍋体３が横ズレしにくい状態で載置係合することになる前記係合手段５を構成している（図６参照）。この際、前記蓋体10は取り外して別個に携帯したり格納したりすると良い。
【００２５】
尚、本実施例では、上記のように第一鍋体１の開口部２と第二鍋体３の開口部４との双方に係合手段５（載置用鍔部15と係合鍔部17）を設けた場合を示したが、第一鍋体１の開口部２と第二鍋体３の開口部４とのいずれか一方にだけ係合手段５を設ける構成を採用しても良い。図中符号18は、第一鍋体１内から汁物などを注出し易くするための注ぎ口である。
【００２６】
また、本実施例の第一鍋体１と第二鍋体３とは、図７に示すように、第二鍋体３内に第一鍋体１を入れ込んで載置（ネスティング）することも可能な形状に形成し、このネスティング状態とした第一鍋体１内に前記取手12を取外して収納し、開口部２を前記蓋体10で閉塞することによりコンパクト化することもできる構成としている。
【００２７】
本実施例の第一鍋体１は、二個のアウトドア用ガス缶６（所謂ＯＤ缶と称される略円柱形を呈する市販のガス缶）と、地面に載置可能な平面視Ｃ字状の風防壁材19と、この風防壁材19内に配設し前記アウトドア用ガス缶６を燃料とする携帯用コンロ装置９と、第一鍋体１若しくは第二鍋体３より取り外された前記取手12とを並べて収納可能な形状に形成している。
【００２８】
尚、市販のアウトドア用ガス缶６には、一般的に容量の違いで「１１０缶」、「２５０缶」、「５００缶」と称される三種類が存在しているが、本実施例は、このうちの「２５０缶」を収納できるように構成した場合を示している。
【００２９】
また、本実施例で用いる風防壁材19について説明すると、多数の囲い板20を並設状態に配設し、各囲い板20に設けた通し孔21に引き締め用紐体22を通し配設して各囲い板20を連結し、隣り合う一方の囲い板20の一側端部と他方の囲い板20の反対側端部との連結部で折曲して折り畳み重合可能に構成している。
【００３０】
また、この風防壁材19は、隣り合う一方の囲い板20の一側端部に設けた連結係止部と他方の囲い板20の反対側端部に設けた連結係合部とを係合した連結状態において所定折曲角度以上の折曲を阻止して片側への折曲重合を阻止する折曲規制作用を生じる折曲規制機構を備え、前記引き締め用紐体22を引き締めた状態では、各囲い板20が前記引き締め用紐体22の引き締め方向と反対方向に押し寄せられ前記連結係止部と前記連結係合部とが係合した連結状態となって前記折曲規制機構の前記折曲規制作用が生じることで平面視Ｃ字状に形成される構成とし（図３参照）、前記引き締め用紐体22を緩めた状態では、前記連結部で折曲でき、これにより不使用時（収納時）や携帯時（持ち運び時）に各囲い板20を折り畳み重合して一枚板形態にコンパクト化できる構成としている（図２参照）。
【００３１】
また、この風防壁材19を構成する囲い板20は、上下端部に夫々、後述する携帯用コンロ装置９の五徳部26の先端部を着脱自在に掛止め可能な掛止部23を設けている。
【００３２】
また、本実施例で用いる携帯用コンロ装置９について説明すると、前記アウトドア用ガス缶６に接続可能な燃料供給ホース24と、この燃料供給ホース24を介しアウトドア用ガス缶６から燃料の供給を受けて燃焼させる平面視円盤状のバーナー部25とから成るものとしている。
【００３３】
また、前記バーナー部25には、第一鍋体１及び第二鍋体３を載置支承可能な五徳部26を三箇所突設した構成とし、前記燃料供給ホース24のアウトドア用ガス缶６接続側端部には、アウトドア用ガス缶６から供給される燃料の流量を調整する器具栓27を設けている。
【００３４】
また、各五徳部26は、前記バーナー部25に対し水平旋回自在に枢着した構成として、この各五徳部26を旋回移動させて例えばバーナー部25を中心に１２０度間隔で展開させることにより第一鍋体１及び第二鍋体３を安定的に載置支承でき、不使用時（収納時）や携帯時（持ち運び時）には、各五徳部26を旋回移動させて燃料供給ホース24と一緒に一箇所にまとめて細長形態にコンパクト化できる構成としている（図２参照）。
【００３５】
加熱調理時には、図３に示すように、平面視Ｃ字状とした前記防風壁材19を地面に載置し、この風防壁材19の前記掛止部23に前記各五徳部26を着脱自在に掛止することにより携帯用コンロ装置９をセットし、この携帯用コンロ装置９にアウトドア用ガス缶６を接続し、各五徳部26上に第一鍋体１若しくは第二鍋体３をセットして調理を行う。尚、二個のアウトドア用ガス缶６，風防壁材19及び携帯用コンロ装置９は、第一鍋体１，第二鍋体３とセットで販売する形態を採用しても良いし、別途ユーザーが用意（購入）する形態を採用しても良い。
【００３６】
本実施例では、風防壁材19をコンパクトに折り畳んだ状態にすると共に、携帯用コンロ装置９もその各五徳部26と燃料供給ホース24とをコンパクトにまとめた状態にして、前記アウトドア用ガス缶６，取手12と一緒に前記第一鍋体１内に収納可能な構成としている。
【００３７】
具体的には、図４〜図６に示すように、二個の前記アウトドア用ガス缶６は横置き状態にし、一方のアウトドア用ガス缶６の凹み形状の底面７に、他方のアウトドア用ガス缶６の側面８を入れ込むようにして隣接させ且つ一方のアウトドア用ガス缶６の凹み形状の底面７に、他方のアウトドア用ガス缶６の側面８を隣接させた状態で収納可能となるように、第一鍋体１の大きさ寸法や開口部２の開口径寸法を設定構成すると共に、隣接収納した一方のアウトドア用ガス缶６の側面８と他方のアウトドア用ガス缶６の底面７とに隣接させて（一方のアウトドア用ガス缶６の側面８と他方のアウトドア用ガス缶６の底面７とが並設している側の第一鍋体１内の隙間に）、前記携帯用コンロ装置９と前記取手12と風防壁材19とを例えばそれらの長さ方向を一致させるように並べて収納可能となるように、第一鍋体１の大きさ寸法や開口部２の開口径寸法を設定構成している。
【００３８】
また、本実施例では、前記第一鍋体１の深さ寸法を、横置き状態にして収納した前記アウトドア用ガス缶６の上側部分（上側に配された側面８）が、この第一鍋体１の開口部２より上方へ露出した状態で収容される深さ寸法に設定している。
【００３９】
具体的には、図６に示すように、横置き状態とした前記アウトドア用ガス缶６の全高のうちの１／３〜１／４ほどの上側部分が、第一鍋体１の開口部２より上方へ露出することとなるように、第一鍋体１の深さ寸法を設定している。
【００４０】
一方、本実施例の前記第二鍋体３の深さ寸法は、上下反転させたこの第二鍋体３で前記第一鍋体１の開口部２より上方へ露出している横置き状態のアウトドア用ガス缶６の上側部分を隠蔽しつつ、この第二鍋体３の開口部４を前記係合手段５を介して前記第一鍋体１の開口部２に載置係合し得る深さ寸法に設定している。
【００４１】
具体的には、第一鍋体１の開口部２より上方へ露出している横置き状態のアウトドア用ガス缶６の上側部分の高さ寸法より若干大きい深さ寸法を具備するように、第二鍋体３の深さ寸法を設定している（図６参照）。
【００４２】
従って、前記アウトドア用ガス缶６，前記携帯用コンロ装置９，前記取手12及び前記風防壁材19を収納した前記第一鍋体１の開口部２を、上下反転させた第二鍋体３で閉塞すると、少なくとも二個のアウトドア用ガス缶６は、この第一鍋体１と第二鍋体２内で大きくガタつくことなく収納されるように構成している。
【００４３】
このように、「２５０缶」のアウトドア用ガス缶６を二個収納して携帯できるようにした本実施例によると、３〜４人で一泊二日〜二泊三日の行動をした場合の燃料が間に合うことが出願人の実験により確認されている。即ち、本実施例によれば、一泊二日〜二泊三日の３〜４人分の調理器具をコンパクトにひとまとめにして携帯可能となる。
【００４４】
また、１〜２人で一泊二日〜二泊三日の行動をする場合には、「１１０缶」のアウトドア用ガス缶６が二個あれば足りることが確認されており、少人数用や少日程用として「１１０缶」を収納可能な大きさ（本実施例より小型）の第一鍋体１と第二鍋体３とを構成しても良い。
【００４５】
尚、本発明は、本実施例に限られるものではなく、各構成要件の具体的構成は適宜設計し得るものである。
【符号の説明】
【００４６】
１  第一鍋体
２  開口部
３  第二鍋体
４  開口部
５  係合手段
６  アウトドア用ガス缶
７  底面
８  側面
９  携帯用コンロ装置
【図１】
2016214555.tif 000003
【図２】
2016214555.tif 000004
【図３】
2016214555.tif 000005
【図４】
2016214555.tif 000006
【図５】
2016214555.tif 000007
【図６】
2016214555.tif 000008
【図７】
2016214555.tif 000009
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
第一鍋体と、この第一鍋体より浅底型で且つ第一鍋体の開口部と同等の開口径寸法の開口部を具備する第二鍋体とから成り、前記第一鍋体の開口部と前記第二鍋体の開口部とのいずれか一方若しくは双方に、この第一鍋体の開口部に上下反転させた前記第二鍋体の開口部を載置係合し得る係合手段が設けられて、第一鍋体の開口部を第二鍋体で係脱開閉自在に閉塞し得るように構成されており、この第一鍋体は、二個のアウトドア用ガス缶と、このアウトドア用ガス缶を燃料とする携帯用コンロ装置とを並べて収納可能な形状に形成され、このアウトドア用ガス缶と携帯用コンロ装置を収納した第一鍋体の開口部に、前記係合手段を介して上下反転させた前記第二鍋体の開口部を載置係合し得るように、この第一鍋体の深さ寸法と前記第二鍋体の深さ寸法とが設定され、前記第一鍋体は、横置き状態にした二個の前記アウトドア用ガス缶を、一方のアウトドア用ガス缶の底面に他方のアウトドア用ガス缶の側面を隣接させた並設状態で収納可能な形状に形成されていると共に、この横置き隣接状態で収納されている一方のアウトドア用ガス缶の側面と他方のアウトドア用ガス缶の底面とに前記携帯用コンロ装置を隣接させた並設状態にして、二個のアウトドア用ガス缶と携帯用コンロ装置とを収納可能な形状に形成されており、前記第一鍋体の深さ寸法は、少なくとも横置き状態にして収納した前記アウトドア用ガス缶の上側部分が、この第一鍋体の開口部より上方へ露出した状態で収納される深さ寸法に設定され、前記第二鍋体の深さ寸法は、上下反転させたこの第二鍋体で前記第一鍋体の開口部より上方へ露出している横置き状態のアウトドア用ガス缶の上側部分を隠蔽しつつ、この第二鍋体の開口部を前記係合手段を介して前記第一鍋体の開口部に載置係合し得る深さ寸法に設定されていることを特徴とするアウトドア用調理鍋。
【手続補正２】
【補正対象書類名】明細書
【補正対象項目名】全文
【補正方法】変更
【補正の内容】
【発明の詳細な説明】
【技術分野】
【０００１】
本発明は、アウトドアレジャーでの使用に適したアウトドア用調理鍋に関するものである。
【背景技術】
【０００２】
登山などのアウトドアレジャーでは、調理器具（鍋やコンロなど）を携帯して屋外などで調理を行い食事をすることも大きな醍醐味の一つである。
【発明の概要】
【発明が解決しようとする課題】
【０００３】
アウトドアレジャーに携帯する調理器具は、大きいと持ち歩きの支障となってしまうので、できるだけコンパクトなものが望まれている。
【０００４】
本発明は、このような要望に応えるためのもので、アウトドア用ガス缶やこれを燃料とする携帯用コンロ装置と共に、調理器具一式をひとまとめにしたコンパクトな形で携帯可能となるアウトドア用調理鍋を提供するものである。
【課題を解決するための手段】
【０００５】
添付図面を参照して本発明の要旨を説明する。
【０００６】
第一鍋体１と、この第一鍋体１より浅底型で且つ第一鍋体１の開口部２と同等の開口径寸法の開口部４を具備する第二鍋体３とから成り、前記第一鍋体１の開口部２と前記第二鍋体３の開口部４とのいずれか一方若しくは双方に、この第一鍋体１の開口部２に上下反転させた前記第二鍋体３の開口部４を載置係合し得る係合手段５が設けられて、第一鍋体１の開口部２を第二鍋体３で係脱開閉自在に閉塞し得るように構成されており、この第一鍋体１は、二個のアウトドア用ガス缶６と、このアウトドア用ガス缶６を燃料とする携帯用コンロ装置９とを並べて収納可能な形状に形成され、このアウトドア用ガス缶６と携帯用コンロ装置９を収納した第一鍋体１の開口部２に、前記係合手段５を介して上下反転させた前記第二鍋体３の開口部４を載置係合し得るように、この第一鍋体１の深さ寸法と前記第二鍋体３の深さ寸法とが設定され、前記第一鍋体１は、横置き状態にした二個の前記アウトドア用ガス缶６を、一方のアウトドア用ガス缶６の底面７に他方のアウトドア用ガス缶６の側面８を隣接させた並設状態で収納可能な形状に形成されていると共に、この横置き隣接状態で収納されている一方のアウトドア用ガス缶６の側面８と他方のアウトドア用ガス缶６の底面７とに前記携帯用コンロ装置９を隣接させた並設状態にして、二個のアウトドア用ガス缶６と携帯用コンロ装置９とを収納可能な形状に形成されており、前記第一鍋体１の深さ寸法は、少なくとも横置き状態にして収納した前記アウトドア用ガス缶６の上側部分が、この第一鍋体１の開口部２より上方へ露出した状態で収納される深さ寸法に設定され、前記第二鍋体３の深さ寸法は、上下反転させたこの第二鍋体３で前記第一鍋体１の開口部２より上方へ露出している横置き状態のアウトドア用ガス缶６の上側部分を隠蔽しつつ、この第二鍋体３の開口部４を前記係合手段５を介して前記第一鍋体１の開口部２に載置係合し得る深さ寸法に設定されていることを特徴とするアウトドア用調理鍋に係るものである。
【発明の効果】
【０００７】
本発明は上述のように構成したから、第一鍋体とこれより浅底型の第二鍋体とを調理用途に応じて便利に使い分けでき、携帯時や不使用時には、アウトドア用ガス缶と携帯用コンロ装置とを第一鍋体内に収納できてこの第一鍋体の開口部を上下反転させた第二鍋体で閉塞でき、これによりアウトドア用ガス缶と携帯用コンロ装置とを保護できると共に、調理器具一式をコンパクト化して持ち歩いたり格納したりでき、このようにコンパクト化できる構成でありながら、アウトドア用ガス缶を二個持ち運べるので一泊二日以上の行動や多人数での行動にも対応できるなど、極めて実用性に優れたアウトドア用調理鍋となる。
【０００８】
また、本発明においては、第一鍋体に二個のアウトドア用ガス缶と携帯用コンロ装置とを効率良く且つガタつきにくい安定状態で収納可能となる一層実用性に優れた構成のアウトドア用調理鍋となる。
【０００９】
また、本発明においては、第一鍋体と第二鍋体とにより二個のアウトドア用ガス缶と携帯用コンロ装置を確実に保護状態で収納でき、しかも第一鍋体は、横置き状態にして収納したアウトドア用ガス缶の上側部分が、この第一鍋体の開口部より上方へ露出した状態で収納される深さ寸法を有するもので足りるため、第一鍋体も可及的浅底型に設計できてコンパクト化が容易に実現可能となるなど、一層実用性に優れた構成のアウトドア用調理鍋となる。
【図面の簡単な説明】
【００１０】
【図１】本実施例を示す分解斜視図である。
【図２】本実施例の第一鍋体と第二鍋体に収納する収納物（調理器具など）を示す斜視図である。
【図３】本実施例の第一鍋体を用いた使用状態を示す斜視図である。
【図４】本実施例の第一鍋体に収納物を収納し、第一鍋体の開口部を第二鍋体で閉塞しようとする状態を示す斜視図である。
【図５】本実施例の第一鍋体に収納物を収納した状態を示す平面図である。
【図６】本実施例の第一鍋体に収納物を収納し、第一鍋体の開口部を第二鍋体で閉塞した状態を示す説明側断面図である。
【図７】本実施例のネスティング状態を示す斜視図である。
【発明を実施するための形態】
【００１１】
好適と考える本発明の実施形態を、図面に基づいて本発明の作用を示して簡単に説明する。
【００１２】
携帯時や不使用時には、第一鍋体１に、二個のアウトドア用ガス缶６と、このアウトドア用ガス缶６を燃料とする携帯用コンロ装置９とを並べて収納可能であり、このアウトドア用ガス缶６と携帯用コンロ装置９を収納した第一鍋体１の開口部２に、係合手段５を介して上下反転させた第二鍋体３の開口部４を載置係合して、第一鍋体１の開口部２を第二鍋体３で閉塞することができる。
【００１３】
すると、アウトドア用ガス缶６と携帯用コンロ装置９とが第一鍋体１と第二鍋体３で保護された収納状態となると共に、第一鍋体１，第二鍋体３，アウトドア用ガス缶６及び携帯用コンロ装置９からなる調理器具一式がひとつにまとまってコンパクト化されるので、携帯に便利で持ち歩きの支障となりにくく、格納スペースも取らない。
【００１４】
使用時には、第一鍋体１の開口部２から第二鍋体３を係脱して取り外し、第一鍋体１内からアウトドア用ガス缶６と携帯用コンロ装置９とを取り出し、このアウトドア用ガス缶６を燃料とする携帯用コンロ装置９に第一鍋体１若しくは第二鍋体３をセットして加熱調理を行う。
【００１５】
また、この際、例えば、汁物の調理には第一鍋体１を使用し、焼物の調理には第一鍋体１より浅底型の第二鍋体３を使用するなど、第一鍋体１と第二鍋体３とを調理用途に応じて使い分けできる。
【００１６】
また、上記したように調理器具一式をコンパクト化して持ち歩くことが可能でありながら、アウトドア用ガス缶６を二個持てるので、一泊二日以上の行動や多人数での行動にも対応できる。
【実施例】
【００１７】
本発明の具体的な実施例について図面に基づいて説明する。
【００１８】
本実施例のアウトドア用調理鍋は、第一鍋体１と、この第一鍋体１より浅底型で且つ第一鍋体１の開口部２と同等の開口径寸法の開口部４を具備する第二鍋体３とから成り、前記第一鍋体１の開口部２と前記第二鍋体３の開口部４とのいずれか一方若しくは双方に、この第一鍋体１の開口部２に上下反転させた前記第二鍋体３の開口部４を載置係合し得る係合手段５を設けて、第一鍋体１の開口部２を第二鍋体３で係脱開閉自在に閉塞し得るように構成している。即ち、第一鍋体１と第二鍋体３とを一つにまとめてコンパクト化できる構成としている。
【００１９】
具体的には、第一鍋体１と第二鍋体２とは、図１，図４に示すように、底の深さ寸法が異なる以外は略同形を呈する平面視丸型の鍋とし、深底型の第一鍋体１は、所謂一般の鍋としての使用（主に汁物の調理など）に適し、浅底型の第二鍋体２は、所謂フライパンとしての使用（主に焼物の調理など）に適するように夫々の底の深さ寸法を設定構成し、更に第一鍋体１の開口部２と、第二鍋体３の開口部４とを、開閉自在に閉塞可能な蓋体10を一体備えて、この蓋体10を第一鍋体１と第二鍋体３に付け替えて使用できるように構成している。
【００２０】
また、この第一鍋体１と第二鍋体２には、その外側面に取手取付部11を設け、この取手取付部11に対し着脱自在な取手12を一体備えて、この取手12を第一鍋体１と第二鍋体２に付け替えて使用できるように構成している。
【００２１】
また、この取手12は、線材を平面視で細長い環状をなすように形成したもので、長さ方向の一端側に補強桟板13を架設すると共に、この補強桟板13より外側の一端部を側面視で略Ｕ字状のフック部14に折曲形成して、このフック部14を前記取手取付部11に着脱自在に掛止することにより前記第一鍋体１若しくは前記第二鍋体３に取付けし得るように構成している。
【００２２】
また、第一鍋体１の開口部２には、その全周縁部に水平外方に向けて前記蓋体10の載置部としても機能する載置用鍔部15を突設すると共に、この載置用鍔部15の突出先端縁を直角上方に折曲してこの折曲上向き先端縁をズレ止め片16とし、一方、第二鍋体３の開口部４には、その全周縁部に前記蓋体10の載置部としても機能すると共に前記載置用鍔部15に載置係合可能な係合鍔部17を水平外方に向けて突設している。即ち、第一鍋体１の開口部２の前記載置用鍔部15に、上下反転させた第二鍋体３の開口部４の前記係合鍔部17を載置係合すると、第一鍋体１の開口部２が第二鍋体３で係脱開閉自在に閉塞されると共に、前記ズレ止め片16により第二鍋体３が横ズレしにくい状態で載置係合することになる前記係合手段５を構成している（図６参照）。この際、前記蓋体10は取り外して別個に携帯したり格納したりすると良い。
【００２３】
尚、本実施例では、上記のように第一鍋体１の開口部２と第二鍋体３の開口部４との双方に係合手段５（載置用鍔部15と係合鍔部17）を設けた場合を示したが、第一鍋体１の開口部２と第二鍋体３の開口部４とのいずれか一方にだけ係合手段５を設ける構成を採用しても良い。図中符号18は、第一鍋体１内から汁物などを注出し易くするための注ぎ口である。
【００２４】
また、本実施例の第一鍋体１と第二鍋体３とは、図７に示すように、第二鍋体３内に第一鍋体１を入れ込んで載置（ネスティング）することも可能な形状に形成し、このネスティング状態とした第一鍋体１内に前記取手12を取外して収納し、開口部２を前記蓋体10で閉塞することによりコンパクト化することもできる構成としている。
【００２５】
本実施例の第一鍋体１は、二個のアウトドア用ガス缶６（所謂ＯＤ缶と称される略円柱形を呈する市販のガス缶）と、地面に載置可能な平面視Ｃ字状の風防壁材19と、この風防壁材19内に配設し前記アウトドア用ガス缶６を燃料とする携帯用コンロ装置９と、第一鍋体１若しくは第二鍋体３より取り外された前記取手12とを並べて収納可能な形状に形成している。
【００２６】
尚、市販のアウトドア用ガス缶６には、一般的に容量の違いで「１１０缶」、「２５０缶」、「５００缶」と称される三種類が存在しているが、本実施例は、このうちの「２５０缶」を収納できるように構成した場合を示している。
【００２７】
また、本実施例で用いる風防壁材19について説明すると、多数の囲い板20を並設状態に配設し、各囲い板20に設けた通し孔21に引き締め用紐体22を通し配設して各囲い板20を連結し、隣り合う一方の囲い板20の一側端部と他方の囲い板20の反対側端部との連結部で折曲して折り畳み重合可能に構成している。
【００２８】
また、この風防壁材19は、隣り合う一方の囲い板20の一側端部に設けた連結係止部と他方の囲い板20の反対側端部に設けた連結係合部とを係合した連結状態において所定折曲角度以上の折曲を阻止して片側への折曲重合を阻止する折曲規制作用を生じる折曲規制機構を備え、前記引き締め用紐体22を引き締めた状態では、各囲い板20が前記引き締め用紐体22の引き締め方向と反対方向に押し寄せられ前記連結係止部と前記連結係合部とが係合した連結状態となって前記折曲規制機構の前記折曲規制作用が生じることで平面視Ｃ字状に形成される構成とし（図３参照）、前記引き締め用紐体22を緩めた状態では、前記連結部で折曲でき、これにより不使用時（収納時）や携帯時（持ち運び時）に各囲い板20を折り畳み重合して一枚板形態にコンパクト化できる構成としている（図２参照）。
【００２９】
また、この風防壁材19を構成する囲い板20は、上下端部に夫々、後述する携帯用コンロ装置９の五徳部26の先端部を着脱自在に掛止め可能な掛止部23を設けている。
【００３０】
また、本実施例で用いる携帯用コンロ装置９について説明すると、前記アウトドア用ガス缶６に接続可能な燃料供給ホース24と、この燃料供給ホース24を介しアウトドア用ガス缶６から燃料の供給を受けて燃焼させる平面視円盤状のバーナー部25とから成るものとしている。
【００３１】
また、前記バーナー部25には、第一鍋体１及び第二鍋体３を載置支承可能な五徳部26を三箇所突設した構成とし、前記燃料供給ホース24のアウトドア用ガス缶６接続側端部には、アウトドア用ガス缶６から供給される燃料の流量を調整する器具栓27を設けている。
【００３２】
また、各五徳部26は、前記バーナー部25に対し水平旋回自在に枢着した構成として、この各五徳部26を旋回移動させて例えばバーナー部25を中心に１２０度間隔で展開させることにより第一鍋体１及び第二鍋体３を安定的に載置支承でき、不使用時（収納時）や携帯時（持ち運び時）には、各五徳部26を旋回移動させて燃料供給ホース24と一緒に一箇所にまとめて細長形態にコンパクト化できる構成としている（図２参照）。
【００３３】
加熱調理時には、図３に示すように、平面視Ｃ字状とした前記防風壁材19を地面に載置し、この風防壁材19の前記掛止部23に前記各五徳部26を着脱自在に掛止することにより携帯用コンロ装置９をセットし、この携帯用コンロ装置９にアウトドア用ガス缶６を接続し、各五徳部26上に第一鍋体１若しくは第二鍋体３をセットして調理を行う。尚、二個のアウトドア用ガス缶６，風防壁材19及び携帯用コンロ装置９は、第一鍋体１，第二鍋体３とセットで販売する形態を採用しても良いし、別途ユーザーが用意（購入）する形態を採用しても良い。
【００３４】
本実施例では、風防壁材19をコンパクトに折り畳んだ状態にすると共に、携帯用コンロ装置９もその各五徳部26と燃料供給ホース24とをコンパクトにまとめた状態にして、前記アウトドア用ガス缶６，取手12と一緒に前記第一鍋体１内に収納可能な構成としている。
【００３５】
具体的には、図４〜図６に示すように、二個の前記アウトドア用ガス缶６は横置き状態にし、一方のアウトドア用ガス缶６の凹み形状の底面７に、他方のアウトドア用ガス缶６の側面８を入れ込むようにして隣接させ且つ一方のアウトドア用ガス缶６の凹み形状の底面７に、他方のアウトドア用ガス缶６の側面８を隣接させた状態で収納可能となるように、第一鍋体１の大きさ寸法や開口部２の開口径寸法を設定構成すると共に、隣接収納した一方のアウトドア用ガス缶６の側面８と他方のアウトドア用ガス缶６の底面７とに隣接させて（一方のアウトドア用ガス缶６の側面８と他方のアウトドア用ガス缶６の底面７とが並設している側の第一鍋体１内の隙間に）、前記携帯用コンロ装置９と前記取手12と風防壁材19とを例えばそれらの長さ方向を一致させるように並べて収納可能となるように、第一鍋体１の大きさ寸法や開口部２の開口径寸法を設定構成している。
【００３６】
また、本実施例では、前記第一鍋体１の深さ寸法を、横置き状態にして収納した前記アウトドア用ガス缶６の上側部分（上側に配された側面８）が、この第一鍋体１の開口部２より上方へ露出した状態で収納される深さ寸法に設定している。
【００３７】
具体的には、図６に示すように、横置き状態とした前記アウトドア用ガス缶６の全高のうちの１／３〜１／４ほどの上側部分が、第一鍋体１の開口部２より上方へ露出することとなるように、第一鍋体１の深さ寸法を設定している。
【００３８】
一方、本実施例の前記第二鍋体３の深さ寸法は、上下反転させたこの第二鍋体３で前記第一鍋体１の開口部２より上方へ露出している横置き状態のアウトドア用ガス缶６の上側部分を隠蔽しつつ、この第二鍋体３の開口部４を前記係合手段５を介して前記第一鍋体１の開口部２に載置係合し得る深さ寸法に設定している。
【００３９】
具体的には、第一鍋体１の開口部２より上方へ露出している横置き状態のアウトドア用ガス缶６の上側部分の高さ寸法より若干大きい深さ寸法を具備するように、第二鍋体３の深さ寸法を設定している（図６参照）。
【００４０】
従って、前記アウトドア用ガス缶６，前記携帯用コンロ装置９，前記取手12及び前記風防壁材19を収納した前記第一鍋体１の開口部２を、上下反転させた第二鍋体３で閉塞すると、少なくとも二個のアウトドア用ガス缶６は、この第一鍋体１と第二鍋体２内で大きくガタつくことなく収納されるように構成している。
【００４１】
このように、「２５０缶」のアウトドア用ガス缶６を二個収納して携帯できるようにした本実施例によると、３〜４人で一泊二日〜二泊三日の行動をした場合の燃料が間に合うことが出願人の実験により確認されている。即ち、本実施例によれば、一泊二日〜二泊三日の３〜４人分の調理器具をコンパクトにひとまとめにして携帯可能となる。
【００４２】
また、１〜２人で一泊二日〜二泊三日の行動をする場合には、「１１０缶」のアウトドア用ガス缶６が二個あれば足りることが確認されており、少人数用や少日程用として「１１０缶」を収納可能な大きさ（本実施例より小型）の第一鍋体１と第二鍋体３とを構成しても良い。
【００４３】
尚、本発明は、本実施例に限られるものではなく、各構成要件の具体的構成は適宜設計し得るものである。
【符号の説明】
【００４４】
１  第一鍋体
２  開口部
３  第二鍋体
４  開口部
５  係合手段
６  アウトドア用ガス缶
７  底面
８  側面
９  携帯用コンロ装置